(57)【特許請求の範囲】
【請求項１】
基材の表面より立設された綴じ具の綴じ棒に着脱される紙押え具であって、
本体は、その裏面に紙押え部が形成され且つ綴じ棒に貫挿される貫通孔が形成されるとともに、前記貫通孔に連続して綴じ足係合部が形成され、
前記綴じ足係合部は、
前記貫通孔より離れるに従って巾狭となる長孔を有し、
前記長孔の対向する縁に形成される綴じ足と接合する部位が紙押え部より離れる方向に向けて漸次傾いて斜めに形成され、且つ前記綴じ足との接合面積が少なくなるように、紙押え部と交差する方向における厚みも少なく形成された、紙押え具。
【請求項２】
綴じ足係合部の長孔の対向する縁に形成された前記綴じ足との接合部位は、
その一方が前記貫通孔の縁より連続して形成された直線状であって、
その他方が前記貫通孔の縁より連続して形成された曲線状で、前記貫通孔より離れるに従って巾狭となるように形成された、請求項１に記載の紙押え具。
【請求項３】
前記本体に形成された貫通孔と綴じ足係合部とは、基材の表面より立設された一対の綴じ足の間隔に対応して一対形成され、
綴じ足に綴じ足係合部を係合させるように本体を押す方向とは反対方向に沿って、前記長孔はその巾が狭くなるように形成された、請求項１または請求項２に記載の紙押え具。
【請求項４】
前記長孔の対向する両方の縁に形成された前記綴じ足と接合する部位が、貫通孔より離れるに従って紙押え部より離れる方向に向けて漸次傾いた直線状の綴じ足との接合面を備え、両方の接合面は、対向し且つそれぞれ同一の傾斜度を有するように形成された、請求項１ないし請求項３のいずれかに記載の紙押え具。
【発明の詳細な説明】
【０００１】
【発明の属する技術分野】
この発明は、紙押え具に関し、特に、たとえばリングファイルのリング綴じ具の綴じ棒に挿入して綴じられた紙葉類のばたつきを押えることができる紙押え具に関する。
【０００２】
【従来の技術】
従来、ファイルなどの表紙に設けられた綴じ足を有するリングに、綴じ穴が形成された紙葉類を綴じ穴に挿入することにより綴じることができる綴じ具において、綴じられた紙葉類がばたつくことがないように、表紙に向けて押える紙押え具が提案されている。
たとえば、特開平８−１８３２８２号の紙押え構造などがある。この紙押え構造は、紙押え板の左右両側に一対のガイド長窓を設け、その一端部をファイルのリングの固定杆の径よりも少し幅広く、他端を少し幅狭くしてテーパー縁を形成し、固定杆に対して紙押え板のガイド長窓の狭い方に紙押え板を移動させることにより、素材の弾性とあいまって紙押え板を紙押え状態のままで固定するように構成したものである。
【０００３】
【発明が解決しようとする課題】
この従来の紙押え構造によれば、リングの固定杆に向けて垂直方向に紙押え板を押すと、リングの固定杆の一定の高さ位置において紙押え板を固定することができるが、紙押え板と紙葉類との間における隙間をなくすためには、さらに紙葉類に向けて紙押え板を押し下げ、紙葉類を表紙との間に固定するようにしなければならない。
このように従来のものは、使用時に２つの方向に向かって力を加える必要があり、動作が必ずしも容易な動作とは言い難い。
【０００４】
それゆえに、この発明の主たる目的は、綴じ足に対して垂直方向に紙押え具をスライドさせるだけで紙押え部が紙葉類を押さえ、紙葉類のばたつきをなくすことができる紙押え具を提供することである。
【０００５】
【作用】
この発明によれば、基材の表面より立設された綴じ具の綴じ棒に着脱される紙押え具であって、本体は、その裏面に紙押え部が形成され且つ綴じ棒に貫挿される貫通孔が形成されるとともに、前記貫通孔に連続して綴じ足係合部が形成され、綴じ足係合部は、前記貫通孔より離れるに従って巾狭となる長孔を有し、長孔の対向する縁に形成される綴じ足と接合する部位が紙押え部より離れる方向に向けて漸次傾いて斜めに形成され、且つ前記綴じ足との接合面積が少なくなるように、紙押え部と交差する方向における厚みも少なく形成されているので、綴じ足と接合する部位が紙押え部より離れる方向に向けて漸次傾いて斜めに形成された長孔によって、綴じ足に対して垂直方向に紙押え具をスライドさせたとき、長孔の幅が狭くなっている部位に綴じ足が入り込む、すなわち、綴じ足との接合部位が、紙押え具をスライドさせると、長孔の対向する縁の傾斜により、紙押え具が下方に移動する。
すなわち、綴じ足と長孔の内側に摩擦が生じるが、綴じ足と摩擦点は固定されているので、相対的に紙押え具が紙葉類方向に向けて移動し、紙葉類を綴じこむ方向に作用する。
【０００６】
【課題を解決するための手段】
この発明の請求項１に記載の紙押え具は、基材の表面より立設された綴じ具の綴じ棒に着脱される紙押え具であって、本体は、その裏面に紙押え部が形成され且つ綴じ棒に貫挿される貫通孔が形成されるとともに、貫通孔に連続して綴じ足係合部が形成され、綴じ足係合部は、貫通孔より離れるに従って巾狭となる長孔を有し、長孔の対向する縁に形成される綴じ足と接合する部位が紙押え部より離れる方向に向けて漸次傾いて斜めに形成され、且つ綴じ足との接合面積が少なくなるように、紙押え部と交差する方向における厚みも少なく形成された、紙押え具である。
この発明の請求項２に記載の紙押え具は、綴じ足係合部の長孔の対向する縁に形成された綴じ足との接合部位は、その一方が貫通孔の縁より連続して形成された直線状であって、その他方が貫通孔の縁より連続して形成された曲線状で、貫通孔より離れるに従って巾狭となるように形成された、請求項１に記載の紙押え具である。
この発明の請求項３に記載の紙押え具は、本体に形成された貫通孔と綴じ足係合部とは、基材の表面より立設された一対の綴じ足の間隔に対応して一対形成され、綴じ足に綴じ足係合部を係合させるように本体を押す方向とは反対方向に沿って、長孔はその巾が狭くなるように形成された、請求項１または請求項２に記載の紙押え具である。
この発明の請求項４に記載の紙押え具は、長孔の対向する両方の縁に形成された綴じ足と接合する部位が、貫通孔より離れるに従って紙押え部より離れる方向に向けて漸次傾いた直線状の綴じ足との接合面を備え、両方の接合面は、対向し且つそれぞれ同一の傾斜度を有するように形成された、請求項１ないし請求項３のいずれかに記載の紙押え具である。
【０００７】
この発明の上述の目的，その他の目的，特徴および利点は、図面を参照して行う以下の発明の実施の形態の詳細な説明から一層明らかとなろう。
【０００８】
【発明の実施の形態】
図１は、この発明の一実施の形態である紙押え具の平面図であり、図２は、図１図示紙押え具の背面図であり、図３は、図１図示紙押え具の左側面図であり、図４は、図１図示紙押え具の右側面図であり、図５は、図１図示紙押え具の正面図である。図６は、図１Ａ−Ａ断面図であり、図７は、図１Ｂ−Ｂ断面図であり、図８は、図１Ｃ−Ｃ断面図であり、図９は、図１Ｄ−Ｄ断面図であり、図１０は、図１Ｅ−Ｅ断面図であり、図１１は、図１Ｆ−Ｆ断面図である。図１２は、図２Ｇ−Ｇ端面図である。
ファイル１００の背表紙等のような基材１０２の表面より立設されたリング綴じ具１０４の綴じ足１０６に着脱される紙押え具１０は、ＡＢＳ樹脂等のような、比較的弾力性に富む合成樹脂により一体成型された本体１２を備える。
【０００９】
紙押え具１０の本体１２は、その裏面に紙押え部１４が形成され且つリング綴じ具１０４の綴じ足１０６に貫挿される貫通孔１６が形成されるとともに、前記貫通孔１６に連続して綴じ足係合部１８が形成されている。
【００１０】
綴じ足係合部１８は、前記貫通孔１６より離れるに従って巾狭となる長孔２０を有する。前記長孔２０の対向する第１の縁２２および第２の縁２４に形成された綴じ足１０６と接合する部位が、貫通孔１６より離れるに従って紙押え部１４より離れる方向に向けて漸次傾いて斜めに形成されている。
前記綴じ足係合部１８を構成する長孔２０には、対向する第１の縁２２および第２の縁２４が形成され、その対向する第１の縁２２および第２の縁２４に形成された綴じ足１０６との第１の接合部位２６および第２の接合部位２８は、その一方の第１の縁２２に形成された第１の接合部位２６が、前記貫通孔１６の縁より連続して形成された直線状であって、その他方の第２の縁２４に形成された第２の接合部位２８が、前記貫通孔１６の縁より連続して形成された波線状で、それぞれが、前記貫通孔１６より離れるに従って巾狭となるように形成されている。
【００１１】
この紙押え具１０は、２穴タイプのリング綴じ具１０４に着脱されるもので、貫通孔１６および綴じ足係合部１８は、基材１０２、すなわちファイル１００の裏表紙の表面より立設された一対の綴じ足１０６，１０６の間隔に対応して所定の間隔をおいて一対形成され、前記綴じ足１０６，１０６に綴じ足係合部１８を係合させるように本体１２を押す方向とは反対方向に向かって、前記長孔２０は、長く延び先端に向かうに従ってその巾が狭くなるように形成されている。
すなわち、一対の貫通孔１６を形成する第１の貫通孔１６ａと第２の貫通孔１６ｂとの間、および第１の貫通孔１６ａに続いて形成された第１の綴じ足係合部１８ａと第２の貫通孔１６ｂに続いて形成された第２の綴じ足係合部１８ｂとの間は、リング綴じ具１０４の綴じ足１０６を構成する一対の綴じ足１０６および１０６の間隔に対応して形成されている。
そして、本体１２を綴じ足１０６に向けて押す押圧部位１２ａ（この実施の形態においては図１の下側）に向けて第１の綴じ足係合部１８ａの第１の長孔２０ａおよび第２の綴じ足係合部１８ｂの第２の長孔２０ｂが同一の方向を向いて長く延び、押圧部位１２ａに向かうに従って第１の長孔２０ａおよび第２の長孔２０ｂの巾が狭くなるように形成されている。
【００１２】
長孔２０の対向する両縁である第１の縁２２および第２の縁２４に形成された前記綴じ足１０６と接合する部位たる第１の接合部位２６および第２の接合部位２８が、前記綴じ足１０６との接合面積が少なくなるように、紙押え部１４と交差する方向（綴じ足１０６の長手方向）における厚みを少なく形成されている。さらに、前記長孔２０の対向する第１の縁２２および第２の縁２４に形成された綴じ足１０６と接合する第１の接合部位２６および第２の接合部位２８が紙押え部１４より離れる方向に向けて、傾いた直線状の綴じ足１０６との接合面を備え、両方の接合面は、紙押え部１４を基準にして同一高さにおいてそれぞれ対向し且つそれぞれ同一の傾斜角度を有するように形成されている。
【００１３】
綴じ足係合部１８を構成する長孔２０の第１の縁２２側には、空洞部３０が設けられ、綴じ足係合部１８が綴じ足１０６と係合するとき強く係合するように、弾力性をより一層増すように構成されている。
【００１４】
紙押え具１０を、ファイル１００のリング綴じ具１０４に綴じられた紙葉類１１０を押えるために、貫通孔１６にリング綴じ具１０４の綴じ足１０６を挿入し、紙葉類１１０上面まで入れる。そして、本体１２の押圧部位１２ａを手の指でリング綴じ具１０４の綴じ足１０６に向けて垂直方向に押すと、図１３ないし図１６に示すように、綴じ足係合部１８の長孔２０の第１の接合部位２６および第２の接合部位２８が傾斜しているので、綴じ足１０６を長孔２０の狭い方に入れたとき、下方向、すなわち紙葉類１１０に向けて力が作用し、紙葉類１１０を紙押え具１０でファイル１００の基材１０２（裏表紙）に向けて押圧することができる。
すなわち、長孔２０の第１の縁２２および第２の縁２４に形成された第１の接合部位２６および第２の接合部位２８が、上方に向けて（紙葉類１１０とは離れる方向に向けて）傾斜しているので、紙押え具１０の押圧部位１２ａを押して、綴じ足係合部１８をリング綴じ具１０４の綴じ足１０６に対し押し込んだとき、紙押え具１０は、紙葉類１１０側に向けて若干下がって、紙葉類１１０を基材１０２たる裏表紙に向けて押圧することができる。
【００１５】
さらに、この発明にかかる紙押え具１０の綴じ足１０６と接合する第１の接合部位２６および第２の接合部位２８は、綴じ足１０６との接合面積が少なくなるように、紙押え部１４と交差する方向、すなわち綴じ足１０６の長手方向において、厚みを少なく形成され、綴じ足１０６と長孔２０の第１の縁２２および第２の縁２４との摩擦点がより明確になり、第１の接合部位２６および第２の接合部位２８の傾斜の効果がより顕著にあらわれるように構成されている。
【００１６】
【発明の効果】
この発明によれば、紙押え具の本体の貫通孔に連続して形成された綴じ足係合部は、前記貫通孔より離れるに従って巾狭となる長孔を有し、長孔の対向する縁に形成される綴じ足と接合する部位が紙押え部より離れる方向に向けて漸次傾いて斜めに形成され、且つ前記綴じ足との接合面積が少なくなるように、紙押え部と交差する方向における厚みも少なく形成されているので、長孔の先端側から貫通孔側の方向に向けて、本体を綴じ棒に対して垂直方向に押すと、本体の裏面の紙押え部の方向に本体が移動して、基材との間に綴じられた紙葉類をばたつくことなく押え、安定して紙葉類を綴じることができる。
【図面の簡単な説明】
【図１】この発明の一実施の形態である紙押え具の平面図である。
【図２】図１図示紙押え具の背面図である。
【図３】図１図示紙押え具の左側面図である。
【図４】図１図示紙押え具の右側面図である。
【図５】図１図示紙押え具の正面図である。
【図６】図１Ａ−Ａ断面図である。
【図７】図１Ｂ−Ｂ断面図である。
【図８】図１Ｃ−Ｃ断面図である。
【図９】図１Ｄ−Ｄ断面図である。
【図１０】図１Ｅ−Ｅ断面図である。
【図１１】図１Ｆ−Ｆ断面図である。
【図１２】図２Ｇ−Ｇ端面図である。
【図１３】使用状態を示す平面図解図である。
【図１４】使用状態を示す平面図解図である。
【図１５】使用状態を示す断面図解図である。
【図１６】使用状態を示す断面図解図である。
【符号の説明】
１００  ファイル
１０２  基材
１０４  リング綴じ具
１０６  綴じ足
１１０  紙葉類
１０  紙押え具
１２  本体
１２ａ  押圧部位
１４  紙押え部
１６  貫通孔
１６ａ  第１の貫通孔
１６ｂ  第２の貫通孔
１８  綴じ足係合部
１８ａ  第１の綴じ足係合部
１８ｂ  第２の綴じ足係合部
２０  長孔
２０ａ  第１の長孔
２０ｂ  第２の長孔
２２  第１の縁
２４  第２の縁
２６  第１の接合部位
２８  第２の接合部位
３０  空洞部
【図１】
0003566263.tif 000002
【図２】
0003566263.tif 000003
【図３】
0003566263.tif 000004
【図４】
0003566263.tif 000005
【図５】
0003566263.tif 000006
【図６】
0003566263.tif 000007
【図７】
0003566263.tif 000008
【図８】
0003566263.tif 000009
【図９】
0003566263.tif 000010
【図１０】
0003566263.tif 000011
【図１１】
0003566263.tif 000012
【図１２】
0003566263.tif 000013
【図１３】
0003566263.tif 000014
【図１４】
0003566263.tif 000015
【図１５】
0003566263.tif 000016
【図１６】
0003566263.tif 000017